(57)【要約】【課題】ゆがんだ状態の画像を入力することを防止することができ且つ設置スペースを狭くすることができる画像入出力装置を提供すること。【解決手段】写真処理装置１は、画像を入力するフィルムスキャナ２０及びフラットベッドスキャナ３０と、フィルムスキャナ２０やフラットベッドスキャナ３０により入力した画像をプリントするプリント機２とを備える。プリント機２の天板１０の上面１０ａ上には、防振台４０及び引出構造６０が搭載され、防振台４０にはフィルムスキャナ２０が搭載され、引出構造６０内にはフラットベッドスキャナ３０が収納されている。フィルムスキャナ２０は防振台４０によってプリント機２に対して浮動状態に支持されている。【選択図】図１
2005229195.tif 000002
【特許請求の範囲】
【請求項１】
画像入力機器により入力した画像をプリント機により記録媒体に出力する画像入出力装置において、
前記画像入力機器が前記プリント機の上面に搭載され、
前記プリント機に対して前記画像入力機器を浮動状態に支持する防振構造が設けられていることを特徴とする画像入出力装置。
【請求項２】
前記防振構造が前記プリント機の上面と前記画像入力機器との間に介在することを特徴とする請求項１に記載の画像入出力装置
【請求項３】
前記防振構造は、前記プリント機の上面に対向し、前記画像入力機器を搭載した上部プレートと、前記プリント機の上面と前記上部プレートとの間に介在し、前記プリント機の上面に対して前記上部プレートを浮動状態に支持するインシュレータと、を有することを特徴とする請求項１又は２に記載の画像入出力装置。
【請求項４】
前記画像入力機器が前記上部プレートに対して着脱可能に設けられていることを特徴とする請求項３に記載の画像入出力装置。
【請求項５】
前記画像入力機器の底面には脚部が突設され、
前記上部プレートの上面には凹部が設けられ、
前記画像入力機器の脚部が前記凹部に挿入されていることを特徴とする請求項３又は４に記載の画像入出力装置。
【請求項６】
前記上部プレートの上面から前記凹部の底面までの深さは前記画像入力機器の脚部が底面からの突出した高さよりも小さいことを特徴とする請求項５に記載の画像入出力装置。
【請求項７】
前記上部プレートと前記プリント機の上面のうち一方の部材に、他方の部材に向かって延出した延出部が設けられ、前記延出部の延出方向に垂直な方向から見て前記延出部が前記他方の部材と重なっていることを特徴とする請求項２から６の何れか一項に記載の画像入出力装置。
【請求項８】
前記延出部が前記他方の部材から離れていることを特徴とする請求項７に記載の画像入出力装置。
【請求項９】
前記プリント機の上面に箱体が搭載され、
前記防振構造が前記画像入力機器を支持した状態で前記防振構造及び前記画像入力機器が前記箱体内に収納されていることを特徴とする請求項１に記載の画像入出力装置。
【請求項１０】
前記防振構造は、前記箱体の底面に対向し、前記画像入力機器を搭載した上部プレートと、前記箱体の底面と前記上部プレートとの間に介在し、前記箱体の底面に対して前記上部プレートを浮動状態に支持するインシュレータと、を有することを特徴とする請求項９に記載の画像入出力装置。
【請求項１１】
前記画像入力機器が前記上部プレートに対して着脱可能に設けられていることを特徴とする請求項１０に記載の画像入出力装置。
【請求項１２】
前記上部プレートと前記箱体の底面のうち一方の部材に、他方の部材に向かって延出した延出部が設けられ、前記延出部の延出方向に垂直な方向から見て前記延出部が前記他方の部材と重なっていることを特徴とする請求項１０又は１１に記載の画像入出力装置。
【請求項１３】
前記プリント機の上面に第一の箱体が搭載され、
前記第一の箱体内に第二の箱体が収納され、
前記画像入力機器が前記第二の箱体に収納され、
前記防振構造が前記第一の箱体と前記第二の箱体との間に介在するとともに前記第一の箱体に対して前記第二の箱体を浮動状態に支持することを特徴とする請求項１に記載の画像入出力装置。
【発明の詳細な説明】
【技術分野】
【０００１】
本発明は、画像入力機器により入力した画像をプリント機により記録媒体に出力する画像入出力装置に関する。
【背景技術】
【０００２】
銀塩フィルム上に形成された画像を入力してデジタル画像データに変換した後、印画紙に画像をプリントするデジタル写真処理装置が近年普及している。デジタル写真処理装置は、銀塩フィルムの画像を光電変換によりデジタル画像データとして入力するフィルムスキャナと、フィルムスキャナにより入力したデジタル画像データに対して各種の補正処理を行うコンピュータと、コンピュータにより補正されたデジタル画像データに基づいた変調光を印画紙に露光した後にその印画紙に対して現像処理を行うプリント機と、から構成されている。
【０００３】
従来のデジタル写真処理装置では、フィルムスキャナ及びコンピュータがプリント機から分離されており、プリント機とは別の専用テーブルにフィルムスキャナ及びコンピュータが設置されている（例えば、特許文献１参照）。
【特許文献１】特開２００３−２８７８２３号公報
【発明の開示】
【発明が解決しようとする課題】
【０００４】
ところが、フィルムスキャナ及びコンピュータがプリント機から分離されていると、デジタル写真処理装置を設置するためのスペースを広く確保しなければならなかった。一方、デジタル写真処理装置の設置スペースを狭くするために、フィルムスキャナ及びコンピュータをプリント機と一体にしたものが開発されている。しかしながら、一体化構造ではプリント機の振動がフィルムスキャナに伝播してしまい、銀塩フィルム、フィルムスキャナの光軸、フィルムスキャナのイメージセンサ等も振動するので、ゆがんだ状態の画像が入力されてしまう。
【０００５】
そこで、本発明は、上記のような問題点を解決しようとしてなされたものであり、ゆがんだ状態の画像を入力することを防止することができ且つ設置スペースを狭くすることができる画像入出力装置を提供することを目的とする。
【課題を解決するための手段】
【０００６】
上記課題を解決するために、請求項１に記載の発明は、
画像入力機器により入力した画像をプリント機により記録媒体に出力する画像入出力装置において、
前記画像入力機器が前記プリント機の上面に搭載され、
前記プリント機に対して前記画像入力機器を浮動状態に支持する防振構造が設けられていることを特徴とする。
【０００７】
請求項１に記載の発明では、画像入力機器がプリント機の上面に搭載されているから、画像入出力装置の設置スペースを狭くすることができる。
また、画像入力機器が防振構造によってプリント機に対して浮動状態に支持されているから、プリント機の振動が画像入力機器に伝播しづらくなる。そのため、画像入力機器においてはゆがんだ画像が入力されず、プリント機で記録媒体に出力される画像もゆがまず、高画質の画像を出力することができる。
【０００８】
請求項２に記載の発明は、
請求項１に記載の画像入出力装置において、
前記防振構造が前記プリント機の上面と前記画像入力機器との間に介在することを特徴とする。
【０００９】
請求項２に記載の発明では、防振構造がプリント機の上面と画像入力機器との間に配設されているため、プリント機の振動が画像入力機器により一層伝播しなくなる。
【００１０】
請求項３に記載の発明は、
請求項１又は２に記載の画像入出力装置において、
前記防振構造は、前記プリント機の上面に対向し、前記画像入力機器を搭載した上部プレートと、前記プリント機の上面と前記上部プレートとの間に介在し、前記プリント機の上面に対して前記上部プレートを浮動状態に支持するインシュレータと、を有することを特徴とする。
【００１１】
請求項３に記載の発明では、プリント機の上面と上部プレートとの間にインシュレータが介在しているので、プリント機が振動するとインシュレータが変形し、プリント機に対する上部プレートの相対的位置が変位するが、上部プレート自体の絶対的な位置が変位しない。そのため、プリント機が振動しても、上部プレートに搭載された画像入力機器に振動が伝播しない。
【００１２】
請求項４に記載の発明は、
請求項３に記載の画像入出力装置において、
前記画像入力機器が前記上部プレートに対して着脱可能に設けられていることを特徴とする。
【００１３】
請求項４に記載の発明では、画像入力機器を上部プレートから取り外すことができる。
【００１４】
請求項５に記載の発明は、
請求項３又は４に記載の画像入出力装置において、
前記画像入力機器の底面には脚部が突設され、
前記上部プレートの上面には凹部が設けられ、
前記画像入力機器の脚部が前記凹部に挿入されていることを特徴とする。
【００１５】
請求項５に記載の発明では、画像入力機器の脚部が上部プレートの凹部に挿入されているため、上部プレートが大きく変位したり、画像入力機器が不意に押されたりした場合でも、脚部が凹部に当接して係合する。そのため、画像入力機器が上部プレートから外れることを防止することができる。
また、画像入力機器の脚部が上部プレートの凹部に挿入されているため、画像入力機器とプリント機の上面との間に上部プレートを設置しても、設置床から画像入力機器の頭頂までの高さを最小限に抑えることができる。
【００１６】
請求項６に記載の発明は、
請求項５に記載の画像入出力装置において、
前記上部プレートの上面から前記凹部の底面までの深さは前記画像入力機器の脚部が底面からの突出した高さよりも小さいことを特徴とする。
【００１７】
請求項６に記載の発明では、上部プレートの上面から凹部の底面までの深さが画像入力機器の脚部の突出高さよりも小さいため、画像入力機器の脚部が凹部の底面に当接し、画像入力機器の底面と上部プレートの上面との間に隙間ができる。
【００１８】
請求項７に記載の発明は、
請求項２から６の何れか一項に記載の画像入出力装置において、
前記上部プレートと前記プリント機の上面のうち一方の部材に、他方の部材に向かって延出した延出部が設けられ、前記延出部の延出方向に垂直な方向から見て前記延出部が前記他方の部材と重なっていることを特徴とする。
【００１９】
請求項７に記載の発明では、プリント機の上面に対して上部プレートが相対的に変位した場合、延出部の延出方向に垂直な方向から見て延出部が他方の部材と重なっているため、延出部が他方の部材に当接する。延出部が他方の部材に当接した変位以上の相対的変位が生じないので、インシュレータに耐用以上の負荷・変形を与えずに済む。
【００２０】
請求項８に記載の発明は、
請求項７に記載の画像入出力装置において、
前記延出部が前記他方の部材から離れていることを特徴とする。
【００２１】
請求項８に記載の発明では、延出部が他方の部材から離れているため、延出部が他方の部材に当接するまでの相対変位がプリント機の上面に対する上部プレートの最大相対変位となる。
【００２２】
請求項９に記載の発明は、
請求項１に記載の画像入出力装置において、
前記プリント機の上面に箱体が搭載され、
前記防振構造が前記画像入力機器を支持した状態で前記防振構造及び前記画像入力機器が前記箱体内に収納されていることを特徴とする。
【００２３】
請求項９に記載の発明では、プリント機の上面に箱体が搭載され、画像入力機器が防振構造によって支持された状態で、防振構造及び画像入力機器が箱体内に収納されているので、プリント機が振動しても、プリント機の振動が画像入力機器に伝播しづらくなる。
【００２４】
請求項１０に記載の発明は、
請求項９に記載の画像入出力装置において、
前記防振構造は、前記箱体の底面に対向し、前記画像入力機器を搭載した上部プレートと、前記箱体の底面と前記上部プレートとの間に介在し、前記箱体の底面に対して前記上部プレートを浮動状態に支持するインシュレータと、を有することを特徴とする。
【００２５】
請求項１０の発明では、箱体の底面と上部プレートとの間にインシュレータが介在しているので、プリント機とともに箱体が振動するとインシュレータが変形し、箱体及びプリント機に対する上部プレートの相対的位置が変位するが、上部プレート自体の絶対的な位置が変位しない。そのため、プリント機が振動しても、上部プレートに搭載された画像入力機器に振動が伝播しない。
【００２６】
請求項１１に記載の発明は、
請求項１０に記載の画像入出力装置において、
前記画像入力機器が前記上部プレートに対して着脱可能に設けられていることを特徴とする。
【００２７】
請求項１１に記載の発明では、画像入力機器を上部プレートから取り外すことができる。
【００２８】
請求項１２に記載の発明は、
請求項１０又は１１に記載の画像入出力装置において、
前記上部プレートと前記箱体の底面のうち一方の部材に、他方の部材に向かって延出した延出部が設けられ、前記延出部の延出方向に垂直な方向から見て前記延出部が前記他方の部材と重なっていることを特徴とする。
【００２９】
請求項１２に記載の発明では、箱体の上面に対して上部プレートが相対的に変位した場合、延出部の延出方向に垂直な方向から見て延出部が他方の部材と重なっているため、延出部が他方の部材に当接する。延出部が他方の部材に当接した変位以上の相対的変位が生じないので、インシュレータに耐用以上の負荷・変形を与えずに済む。
【００３０】
請求項１３に記載の発明は、
請求項１に記載の画像入出力装置において、
前記プリント機の上面に第一の箱体が搭載され、
前記第一の箱体内に第二の箱体が収納され、
前記画像入力機器が前記第二の箱体に収納され、
前記防振構造が前記第一の箱体と前記第二の箱体との間に介在するとともに前記第一の箱体に対して前記第二の箱体を浮動状態に支持することを特徴とする。
【００３１】
請求項１３に記載の発明では、プリント機の上面に第一の箱体が搭載され、第一の箱体に第二の箱体が収納され、第二の箱体に画像入力機器が収納され、第二の箱体が防振構造によって第一の箱体に対して浮動状態に支持されているから、プリント機が振動しても、プリント機の振動が画像入力機器に伝播しづらくなる。
【発明の効果】
【００３２】
本発明によれば、画像入力機器がプリント機の上面に搭載されているから、画像入出力装置の設置スペースを狭くすることができ、画像入力機器が防振構造によってプリント機に対して浮動状態に支持されているから、プリント機の振動が画像入力機器に伝播しづらく、そのために画像入力機器においてはゆがんだ画像が入力されない。
【発明を実施するための最良の形態】
【００３３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００３４】
図１は、本発明の画像入出力装置を適用した実施形態における写真処理装置１の斜視図である。図２は、写真処理装置１の蓋部材９が開いた状態の写真処理装置１の斜視図である。図３は、写真処理装置１の一部を分解した状態の写真処理装置１の分解斜視図である。図４は、写真処理装置１の天板１０上の拡大斜視図である。図５は、天板１０上の分解斜視図である。
【００３５】
図１〜図３に示すように、写真処理装置１の下部には、記録媒体としてハロゲン化銀感光材料からなる印画紙に画像を出力するプリント機２が設けられている。
【００３６】
プリント機２の筐体３の左側面には、印画紙をロール状に収納したマガジン部４が搭載されている。筐体３の右側面から筐体３の正面にかけて、プリント機２で画像形成されて排出された印画紙を受けるトレー部５が搭載されている。
【００３７】
筐体３の内部には、搬送機構と、露光処理部６と、現像処理部７と、切断部８とが配設されている。
【００３８】
搬送機構は、マガジン部４に充填された印画紙を筐体３の内側へ送り、筐体３の内部に送った印画紙を露光処理部６、現像処理部７、切断部８の順に経由させて、トレー部５へ送り出すように設けられている。
【００３９】
露光処理部６は、筐体３の内部のうちマガジン部４側の領域（図１の左側の領域）に配置されている。露光処理部６は、印画紙の搬送方向に対して直交する方向に沿った線状に印画紙を露光することによって、印画紙に潜像を形成するように設けられている。露光処理部６によって使用される光の色は赤、緑、青である。
【００４０】
現像処理部７は、筐体３の内部のうちトレー部５側の領域（図１の右側の領域）に配置されている。現像処理部７は、露光処理部６から搬送されてきた印画紙に現像処理を施すように設けられている。現像処理部７は発色現像液、漂白定着液、安定液がそれぞれ充填された処理槽を備え、搬送機構によって搬送される印画紙がこれら処理槽内の液に順次浸漬されると、印画紙に露光された潜像が顕在化される。印画紙上の赤色の光で露光された部分はシアンに発色し、緑色の光で露光された部分はマゼンタに発色し、青色の光で露光された部分はイエローに発色する。
【００４１】
切断部８は、現像処理部７から搬送されてきた印画紙を刃によって所定の大きさに切断するように設けられている。切断部８によってカットされた印画紙はトレー部５上に排出される。
【００４２】
なお、プリント機２として、感光材料に対して露光・現像を行うことによりプリントを作成するものが例示されているが、プリント方式はこれに限定されず、例えば、インクジェット方式、電子写真方式、感熱方式、昇華方式等の方式を用いてもよい。
【００４３】
筐体３の上面のうち現像処理部７の上方には、蓋部材９が取り付けられている。この蓋部材９は、水平な軸線周りに回転可能となって筐体３の背面上端部にヒンジ結合されている。この蓋部材９は、ヒンジ結合を中心にして、図１のように水平になった状態から図２のように水平面に対して起立した状態まで回転可能に設けられている。筐体３の上面のうち現像処理部７の上方には開口３ａが形成されており、蓋部材９が水平状態であると筐体３の開口が蓋部材９によって閉塞されている。一方、蓋部材９が起立状態であると、筐体３の開口３ａが開放されており、筐体３の開口３ａを通じて現像処理部７のメンテナンスを行えるようになっている。
【００４４】
筐体３の上面のうち露光処理部６の上方には、天板１０が取り付けられている。図５に示すように、天板１０の上面１０ａは水平に設けられている。図１〜図３に示すように、天板１０の上面１０ａは閉じた状態の蓋部材９の上面と連なった面となっており、設置床から天板１０の上面１０ａまでの高さは設置床から蓋部材９の上面までの高さと同じである。
【００４５】
図１〜図５に示すように、この天板１０の上面１０ａのうちマガジン部４側の領域（図１〜図５において左側の領域）には防振台４０が搭載されており、防振台４０上にはフィルムスキャナ２０が載置されている。一方、天板１０の上面１０ａのうち現像処理部７側（図１〜図５において右側の領域）には引出構造６０が搭載されており、引出構造６０内にはフラットベッドスキャナ３０が収納されている。
【００４６】
フィルムスキャナ２０は、ネガフィルムやリバーサルフィルムといった透過原稿に記録された画像を光学的に読み取って、読み取った画像をデジタルデータとして入力する画像入力機器である。具体的には、フィルムスキャナ２０は、光源と、光源の光をフィルムに導く照射光学系と、主走査方向に延在したＣＣＤ型のライン状イメージセンサと、フィルムを透過した光をライン状イメージセンサに導くことによりフィルムの画像をライン状イメージセンサに結像する結像光学系と、主走査方向に直交する副走査方向にフィルム又はライン状イメージセンサの一方を送る送り機構と、を備える。このフィルムスキャナ２０は、送り機構によってフィルム又はライン状イメージセンサを副走査方向に搬送し、ライン状イメージセンサによってフィルムの画像を１ラインごとに読み取ることによって、フィルムの画像を入力する。
【００４７】
また、図６に示すように、フィルムスキャナ２０の底面２１には、４つの脚部２２，２２，２２，２２が突出した状態で取り付けられている。ここで、図６は、フィルムスキャナ２０の底面２１側を防振台４０とともに示した斜視図である。
【００４８】
防振台４０は、天板１０に対してフィルムスキャナ２０を浮動状態に支持する防振構造であり、フィルムスキャナ２０を浮動状態に支持することによってプリント機２の振動をフィルムスキャナ２０に伝播することを抑制するものである。具体的には、防振台４０は、図７、図８のように構成されている。図７は防振台４０の分解斜視図であり、図８は防振台４０の側面図である。防振台４０は、天板１０の上面１０ａに取り付けられた下部プレート４１と、下部プレート４１の上方において下部プレート４１及び天板１０に対向した上部プレート４２と、下部プレート４１に対して上部プレート４２を浮動状態に支持する４つのインシュレータ４３，４３，４３，４３と、を備える。
【００４９】
下部プレート４１は板状に設けられ且つ平面視して矩形状に設けられており、下部プレート４１の４辺のうち１つの短辺にはノッチが形成されている。下部プレート４１の４辺のそれぞれには、屈曲された延出部４４〜４７が形成されている。この下部プレート４１はネジによって天板１０の上面１０ａに伏した状態で固定されており、延出部４４〜４７が上面１０ａに対して立った状態で上面１０ａから上方に向けて延出している。
【００５０】
インシュレータ４３は、円錐台状に形成された防振ゴム４８と、防振ゴム４８の底面に接合された円板４９と、円板４９から下方に向けて突設された軸部５０と、防振ゴム４８の上面に接合された板材５１と、から構成されている。防振ゴム４８はエラストマー材料で形成されたものであり、弾性・可撓性を有する。なお、防振ゴム４８の内部が中空に設けられていても良い。
【００５１】
一方、下部プレート４１の四隅には貫通孔が形成されており、天板１０にはこれら貫通孔に重なった位置において穴が形成されている。インシュレータ４３の軸部５０が下部プレート４１の貫通孔及び天板１０の穴に挿入され、円板４９が下部プレート４１に当接した状態で、インシュレータ４３が天板１０の上面１０ａに固定されている。
【００５２】
上部プレート４２は下面が開放した直方体の箱状に形成されており、上部プレート４２の４つ側面５４〜５７が上面５３から下方に延出した延出部として設けられている。そして、上部プレート４２がインシュレータ４３，４３，４３，４３を下部プレート４１と挟んだ状態で下部プレート４１を上から覆っている。また、平面視して上部プレート４２の側面５４〜５７が下部プレート４１を囲繞した状態で延出部４４〜４７の周囲に配置されており、下部プレート４１が上部プレート４２に対して入れ子状態となって、下部プレート４１の延出部４４〜４７が上部プレート４２の内側に収納されている。
【００５３】
インシュレータ４３，４３，４３，４３は、板材５１が上部プレート４２に当接した状態でネジによって上部プレート４２の四隅に固定されている。これらインシュレータ４３，４３，４３，４３によって上部プレート４２が天板１０の上面１０ａに対して浮いた状態で支持されている。インシュレータ４３，４３，４３，４３が自然状態で変形していない場合、上部プレート４２の側面５４〜５７はそれぞれ下部プレート４１の延出部４４〜４７から離れている。また、延出部４４〜４７の延出方向に垂直な方向（水平方向）から見て、延出部４４〜４７が側面５４〜５７に重なっており、上部プレート４２が水平方向に動いた場合、延出部４４〜４７がそれぞれ側面５１〜５４に当接するようになっている。なお、図８に示すように、インシュレータ４３，４３，４３，４３の高さによって、下部プレート４１の延出部４４〜４７が上部プレート４２の上面５３から離れており、上部プレート４２の側面５４〜５７も天板１０の上面１０ａから離れている。
【００５４】
図６、図７に示すように、上部プレート４２の上面５３の四隅には、凹部５８，５８，５８，５８が設けられており、凹部５８，５８，５８，５８には、フィルムスキャナ２０の脚部２２，２２，２２，２２がそれぞれ挿入されている。凹部５８の底には底面５９が設けられており、凹部５８の上面５３から底面５９までの深さは脚部２２の底面２１から突端までの突出高さよりも小さく設けられている。そして、凹部５８に挿入された脚部２２の突端が凹部５８の底面５９に当接しており、フィルムスキャナ２０の底面２１が上部プレート４２の上面５３から離れている。凹部５８に対して脚部２２が固定されていないので、フィルムスキャナ２０が上部プレート４２に対して着脱可能に設けられている。そのため、フィルムスキャナ２０を上部プレート４２から上へ簡単に取り外すことができる。
【００５５】
図３、９、図１０を用いて引出構造６０について説明する。ここで、図９は引出構造６０の斜視図であり、図１０は図９の面X−Xに沿った断面図である。図３、図９、図１０に示すように、引出構造６０は、天板１０の上面１０ａに搭載された第一の箱体としての固定箱６１と、固定箱６１に収納された第二の箱体としての可動箱６２と、可動箱６２を固定箱６１内に収納した状態から固定箱６１から引き出した状態まで案内する二つのガイド部材６３，６３と、固定箱６１と可動箱６２との間に介在するとともに固定箱６１に対して可動箱６２を浮動状態に支持する防振構造としての防振ゴム６４，６４と、可動箱６２を引き出した時に可動箱６２に生じる衝撃を緩和する２つの第一ダンパ６５，６５と、可動箱６２を引き入れた時に可動箱６２に生じる衝撃を緩和する２つの第二ダンパ６６，６６と、を有する。
【００５６】
固定箱６１が天板１０の上面１０ａに搭載されているので、この固定箱６１は筐体３の開口３ａから外れた位置にある。固定箱６１は直方体状に設けられており、固定箱６１の４つの側板６１ａ，６１ｂ，６１ｃ，６１ｄのうち右の側板６１ａがトレー部５側に指向し、左の側板６１ｂがマガジン部４側に指向し、前の側板６１ｃが正面に指向し、後ろの側板６１ｄが背面に指向している。右の側板６１ａには、開口６１ｅが形成されている。なお、図９において、固定箱６１の内側を見えやすくするために、固定箱６１の上板６１ｆの図示を省略する。
【００５７】
可動箱６２は上面が開口した直方体状に設けられており、可動箱６２が固定箱６１の開口６１ｅから固定箱６１内に収納されている。
【００５８】
固定箱６１の内側において、前後の側板６１ｃ，６１ｄのそれぞれに、防振ゴム６４，６４が固定されている。防振ゴム６４，６４は、右の側板６１ａから左の側板６１ｄまで側板６１ｃ，６１ｄに沿って直線状に延在している。
【００５９】
防振ゴム６４，６４のそれぞれにガイド部材６３，６３が取り付けられて固定されている。ガイド部材６３，６３も防振ゴム６４，６４と同様に右の側板６１ａから左の側板６１ｄまで側板６１ｃ，６１ｄに沿って直線状に延在している。ガイド部材６３，６３には、可動箱６２の前後の側板６２ｃ，６２ｄのそれぞれに取り付けられた摺動子６２ｅ，６２ｅがガイド部材６３，６３に沿って左右に摺動可能な状態で係合している。可動箱６２は、ガイド部材６３，６３に沿って案内されることによって固定箱６１内に引き入れられた状態から固定箱６１の外に引き出された状態まで移動可能に設けられている。図３に示すように可動箱６２が引き出された状態では、可動箱６２が蓋部材９の回転範囲内に位置し、可動箱６２が筐体３の開口３ａに重なっている。一方、可動箱６２が引き入れられた状態では、可動箱６２が蓋部材９の回転範囲内から外れ、可動箱６２が筐体３の開口３ａから外れている。
【００６０】
可動箱６２を引き出す方向（図１０の図示方向）から見た場合、可動箱６２の右のサイドパネル６２ａが前後の側板６２ｃ，６２ｄよりも前後に延出している。可動箱６２を引き出す方向から見た場合、サイドパネル６２ａの前後一部が固定箱６１の側板６１ａと重なっており、可動箱６２を固定箱６１に引き入れた状態ではサイドパネル６２ａの一部が側板６１ａに当接している。
【００６１】
可動箱６２の外側において、可動箱６２の前後の側板６２ｃ，６２ｄのそれぞれには第一ダンパ６５，６５が取り付けられている。第一ダンパ６５，６５のシリンダ６５ａは側板６２ｃ，６２ｄに固定されており、このシリンダ６６ａ内には空気バネ、コイルバネ等の緩衝材が設けられており、第一ダンパ６５のロッド６５ｂがガイド部材６３の延在方向に進退可能となってシリンダ６５ａ内に設けられ、ロッド６５ｂが緩衝材によってシリンダ６５ａに対して弾性的に支持されている。
【００６２】
第一ダンパ６５は固定箱６１の右側板６１ａよりも左側板６１ｂ寄りに配されている。そして、可動箱６２が引き出された状態では第一ダンパ６５のロッド６５ｂの突端が固定箱６１の右の側板６１ａに当接し、可動箱６２が引き入れられた状態ではロッド６５ｂの突端が右の側板６１ａから離れている。
【００６３】
なお、第一ダンパ６５が可動箱６２に固定されたものであるが、固定箱６１と可動箱６２との間に介在するのであれば、固定箱６１に固定されていても良いし、固定箱６１と可動箱６２のどちらに固定されていなくても良い。例えば、ダンパが固定箱６１の右側板６１ａの内側壁面に固定され、そのダンパのロッドの突端が第一ダンパ６５と反対向きに指向していても良い。この場合、ダンパよりも左側板６１ｂ寄りにおいて、受け板を可動箱６２に設け、引き出す方向に見てそのダンパを受け板に重ねる。このようにダンパ及び受け板を設けると、可動箱６２が引き出された状態ではそのダンパのロッドの突端が可動箱６２の受け板に当接し、可動箱６２が引き入れられた状態ではそのダンパのロッドの突端が可動箱６２の受け板から離れる。
【００６４】
固定箱６１の内側において、固定箱６１の左側板６１ｂには第二ダンパ６６，６６が取り付けられている。第二ダンパ６６のシリンダ６６ａは左側板６１ｂに固定されており、このシリンダ６６ａ内には空気バネ、コイルバネ等の緩衝材が設けられており、第二ダンパ６６のロッド６６ｂがガイド部材６３の延在方向に進退可能となってシリンダ６６ａ内に設けられ、ロッド６６ｂが緩衝材によってシリンダ６６ａに対して弾性的に支持されている。可動箱６２が引き出された状態では第二ダンパ６６のロッド６６ｂの突端が可動箱６２の左側板６２ｂから離れ、可動箱６２が引き入れられた状態ではロッド６６ｂの突端が左側板６２ｂに当接している。
【００６５】
なお、第二ダンパ６６が固定箱６１に固定されたものであるが、固定箱６１と可動箱６２との間に介在するのであれば、可動箱６２に固定されていても良いし、固定箱６１と可動箱６２のどちらに固定されていなくても良い。例えば、ダンパが可動箱６２の左側板６１ｂの外側壁面に固定され、そのダンパのロッドの突端が第二ダンパ６６と反対向きに指向していても良い。このようにダンパを設けると、可動箱６２が引き出された状態ではそのダンパのロッドの突端が固定箱６１の左側板６１ｂから離れ、可動箱６２が引き入れられた状態ではそのダンパのロッドの突端が固定箱６１の左側板６１ｂに当接する。
【００６６】
図３に示すように、可動箱６２の底板６２ｆには、可動箱６２に対してフラットベッドスキャナ３０を浮動状態に支持する防振構造としての防振台８０が取り付けられている。防振台８０は、上述した防振台４０と同じように構成されており、可動箱６２の底板６２ｆに取り付けられた下部プレートと、この下部プレートの上方において下部プレート及び可動箱６２の底板６２ｆに対向した上部プレートと、下部プレートに対して上部プレートを浮動状態に支持する４つのインシュレータと、を備える。防振台８０については防振台４０と同様に構成されているため、その詳細な説明を省略する。
【００６７】
フラットベッドスキャナ３０は、プリント済みの印画紙といった反射原稿に記録された画像を光学的に読み取って、読み取った画像をデジタルデータとして入力する画像入力機器である。すなわち、フラットベッドスキャナ３０は、反射原稿に沿ってライン状イメージセンサを長手方向に直交する方向に移動させて、ライン状イメージセンサによって反射原稿の画像を１ラインごとに読み取ることによって、反射原稿の画像を入力するものである。
【００６８】
フラットベッドスキャナ３０の底面にも、フィルムスキャナ２０と同様に、４つの脚部が取り付けられており、防振台８０の上部プレートにも、防振台４０と同様に、４つの凹部が形成され、フラットベッドスキャナ３０の脚部が防振台８０の凹部に挿入されている。防振台８０の凹部の深さがフラットベッドスキャナ３０の脚部の突出高さよりも小さく設けられているので、フラットベッドスキャナ３０の底面が防振台８０の上部プレートから離れている。また、防振台８０の凹部に対してフラットベッドスキャナ３０の脚部が固定されていないので、フラットベッドスキャナ３０が防振台８０の上部プレートに対して着脱可能に設けられている。
【００６９】
図１から図５に示すように、固定箱６１の上板６１ｆには、記録メディアに格納された画像データを読み込んだり記録メディアに画像データを書き込んだりするメディア読み書き機器９１が搭載されている。更には、固定箱６１の上板６１ｆには、メディア読み書き機器９１で読み込んだ画像を表示したり、フィルムスキャナ２０により入力した画像を表示したり、フラットベッドスキャナ３０により入力した画像を表示したりする表示装置として液晶ディスプレイ９２が搭載されている。メディア読み書き機器９１及び液晶ディスプレイ９２は何れも電子機器である。
【００７０】
プリント機２の天板１０の上面１０ａ上であって防振台４０及び引出構造６０の背面側には、画像処理装置としてコンピュータ９３が設けられている。このコンピュータ９３は、内蔵のハードディスク等に格納されたプログラムによって、フィルムスキャナ２０やフラットベッドスキャナ３０に画像入力動作を行わせたり、プリント機２にプリント動作を行わせたり、画像データの読み書きをメディア読み書き機器９１に行わせたりする機能を有する。更に、プログラムによってこのコンピュータ９３は、フィルムスキャナ２０やフラットベッドスキャナ３０に画像入力動作を行わせる時に、振動を加える作業・動作を抑制する旨を催促する画面を液晶ディスプレイ９２に表示させる機能を有する。
【００７１】
以上の写真処理装置１においては、透過原稿の画像を印画紙にプリントする場合には、作業者が透過原稿をフィルムスキャナ２０にセッティングして所定の操作を行うと、フィルムスキャナ２０によって透過原稿の画像が入力される。フィルムスキャナ２０が画像入力動作を行っている時には、コンピュータ９３が、振動を加える作業・動作を抑制するように催促する画面を液晶ディスプレイ９２に表示させる。この画面を見た作業者がフィルムスキャナ２０に振動を与えなくなるので、ゆがんだ状態の画像がフィルムスキャナ２０によって読み取られることを防止することができる。
【００７２】
一方、反射原稿の画像を印画紙にプリントする場合には、作業者が蓋部材９を閉めた状態で可動箱６２を引き出すと、可動箱６２及びフラットベッドスキャナ３０が筐体３の開口３ａに重なって蓋部材９の上に位置する。ここで、可動箱６２の引き出し時には、第一ダンパ６５が固定箱６１の右の側板６１ａに当たって、衝撃力が第一ダンパ６５によって減衰する。そのため、可動箱６２を勢いよく引き出した場合でも、衝撃力がフラットベッドスキャナ３０に作用せず、フラットベッドスキャナ３０の光軸がずれることがなくなる。従って、ゆがんだ状態の画像がフラットベッドスキャナ３０によって読み取られることを防止することができる。
【００７３】
可動箱６２を引き出した後に、作業者が反射原稿をフラットベッドスキャナ３０にセッティングして所定の操作を行うと、フラットベッドスキャナ３０によって反射原稿の画像が入力される。フラットベッドスキャナ３０の画像入力時にも、コンピュータ９３が振動抑制の催促画面を液晶ディスプレイ９２に表示させる。
【００７４】
そして、画像が入力された後に作業者が所定の操作を行うと、プリント機２が印画紙にプリントする。プリント機２においては、入力した画像がプリント機２の露光処理部６によって印画紙に形成され、その後現像処理部７によって印画紙の画像が顕在化され、プリントされた印画紙が切断部８によって切断され、切断された印画紙がトレー部５に排出される。ここで、フィルムスキャナ２０が防振台４０に載置されているので、動作しているプリント機２で発生した振動がフィルムスキャナ２０まで伝播しなくなる。そのため、プリント機２の動作中にフィルムスキャナ２０で画像入力を行っても、ゆがんだ状態の画像がフィルムスキャナ２０によって読み取られることを防止することができる。フラットベッドスキャナ３０の場合にも、固定箱６１と可動箱６２の間に防振ゴム６４，６４が介在し、更にはフラットベッドスキャナ３０が防振台８０に載置されているので、ゆがんだ状態の画像がフラットベッドスキャナ３０によって読み取られることを防止することができる。
【００７５】
プリント機２が大きく振動した場合、防振台４０においては、下部プレート４１と上部プレート４２との相対変位が所定量に達するが、その所定量に達した場合には上部プレート４２の側面５４〜５７が下部プレート４１の延出部４４〜４７にそれぞれ当接することによって、それ以上変位することが抑制される。そのため、インシュレータ４３の防振ゴム４８が大きく変形して破断することを防止することができる。防振台８０においても、同様に、所定量に達した場合には上部プレートの側面が下部プレートの延出部に当接することによって、防振ゴムの破断を防止することができる。
【００７６】
作業者が不意にフィルムスキャナ２０を押したり、プリント機２が大きく振動したりした場合でも、フィルムスキャナ２０の脚部２２が防振台４０の凹部５８に挿入されているため、フィルムスキャナ２０が防振台４０から落下することを防止することができる。更には、フィルムスキャナ２０の脚部２２が防振台４０の凹部５８に挿入されているため、フィルムスキャナ２０と天板１０との間に防振台４０を設置しても、設置床からフィルムスキャナ２０の頭頂までの高さを最小限に抑えることができる。
【００７７】
また、作業者が不意に可動箱６２を勢いよく開閉した場合でも、フラットベッドスキャナ３０の脚部が防振台８０の凹部に挿入されているため、フラットベッドスキャナ３０が防振台８０から落下することを防止することができる。更には、フラットベッドスキャナ３０の脚部が防振台８０の凹部５８に挿入されているため、フラットベッドスキャナ３０及び防振台８０を可動箱６２内に収納しても、可動箱６２の高さを最小限に抑えることができる。
【００７８】
現像処理部７に処理液を補充したり、現像処理部７をメンテナンスしたりする場合には、作業者が可動箱６２を固定箱６１内に引き入れると、可動箱６２及びフラットベッドスキャナ３０が筐体３の開口３ａから外れる。ここで、可動箱６２の引き入れ時には、可動箱６２の左側板６２ｂが第二ダンパ６６に当たって、衝撃力が第二ダンパ６６によって減衰する。そのため、可動箱６２を勢いよく引き入れた場合でも、衝撃力がフラットベッドスキャナ３０に作用せず、フラットベッドスキャナ３０の光軸ずれることがなくなる。そのため、ゆがんだ状態の画像がフラットベッドスキャナ３０によって読み取られることを防止することができる。
【００７９】
可動箱６２を固定箱６１内に収納したら、蓋部材９を開ける。そして、筐体３の上面の開口３ａから現像処理部７のメンテナンスを行う。
【００８０】
通常のプリント時には蓋部材９を閉じた状態であるが、メンテナンス時には蓋部材９を開くために、蓋部材９の上方空間を開放した状態にしなければならず、蓋部材９の上には部品・付属品等を載置することができない。ところが、本実施形態では、引出構造６０の可動箱６２内にフラットベッドスキャナ３０を収納しているから、可動箱６２を引き入れると、蓋部材９の上方が開放されるため、蓋部材９を開けてメンテナンスを行うことができ、逆に可動箱６２を引き出すと、フラットベッドスキャナ３０の上方が開放されるため、フラットベッドスキャナ３０を使用することができる。蓋部材９の上方空間を有効活用することができる。
【００８１】
固定箱６１の上板６１ｆ上に液晶ディスプレイ９２やメディア読み書き機器９１が載置されているので、可動箱６２を閉じた場合には、フラットベッドスキャナ３０が液晶ディスプレイ９２やメディア読み書き機器９１に対して上下に重なる。そのため、天板１０の上面１０ａの面積が小さくても、液晶ディスプレイ９２、メディア読み書き機器９１、フラットベッドスキャナ３０を天板１０の上に搭載することができる。そのため、写真処理装置１の小型化を図れ、更に写真処理装置１の設置スペースを狭くすることができる。
【００８２】
なお、本発明は、上記実施の形態に限定されることなく、本発明の趣旨を逸脱しない範囲において、種々の改良並びに設計の変更を行っても良い。
【００８３】
例えば、防振台４０の代わりに単にインシュレータを防振構造としてフィルムスキャナ２０と天板１０との間に介在させても良い。また、防振台８０の代わりに単にインシュレータを防振構造としてフラットベッドスキャナ３０と可動箱６２の底板６２ｆとの間に介在させても良い。
【００８４】
更には、固定箱６１と天板１０との間にインシュレータ、防振台といった防振構造を介在させることによって、その防振構造により天板１０に対して引出構造６０を介してフラットベッドスキャナ３０を浮動状態に支持しても良い。
【００８５】
また、フィルムスキャナ２０の代わりにフラットベッドスキャナが画像入力機器として防振台４０に載置されていても良いし、フラットベッドスキャナ３０の代わりにフィルムスキャナが可動箱６２内において防振台８０に載置されていても良い。
【図面の簡単な説明】
【００８６】
【図１】写真処理装置１の斜視図である。
【図２】蓋部材９が開いた状態の写真処理装置１の斜視図である。
【図３】一部を分解した状態の写真処理装置１の分解斜視図である。
【図４】写真処理装置１の天板１０上の拡大斜視図である。
【図５】天板１０の上の分解斜視図である。
【図６】フィルムスキャナ２０の底面２１側を防振台４０とともに示した斜視図である。
【図７】防振台４０の分解斜視図である。
【図８】防振台４０の側面図である。
【図９】引出構造６０の斜視図である。
【図１０】図９の面X−Xに沿った断面図である。
【符号の説明】
【００８７】
１  写真処理装置（画像入出力装置）
２  プリント機
１０ａ  プリント機の上面
２０  フィルムスキャナ（画像入力機器）
２１  フィルムスキャナの底面
２３  脚部
３０  フラットベッドスキャナ（画像入力機器）
４２  上部プレート
４３  インシュレータ
４０  防振台（防振構造）
４４〜４７  延出部
５８  凹部
５４〜５７  側面（延出部）
５９  凹部の底面
６１  固定箱（第一の箱体）
６２  可動箱（第二の箱体）
６４  防振ゴム（防振構造）
８０  防振台（防振構造）
【図１】
2005229195.tif 000003
【図２】
2005229195.tif 000004
【図３】
2005229195.tif 000005
【図４】
2005229195.tif 000006
【図５】
2005229195.tif 000007
【図６】
2005229195.tif 000008
【図７】
2005229195.tif 000009
【図８】
2005229195.tif 000010
【図９】
2005229195.tif 000011
【図１０】
2005229195.tif 000012